(57)【要約】【課題】外観品質の低下を抑制することができる外壁水切構造及び外壁水切取り付け方法を得る。【解決手段】本外壁水切構造は、ユニット建物１０の上階側ユニット１４の建物外方側に設けられている上階外壁面材１６と、ユニット建物１０の下階側ユニット４０の建物外方側に設けられると共に、上端側４８に切り欠き部５０を有している下階外壁面材４２と、上端部１０４が上階外壁面材１６を保持する外壁フレーム１８に取り付けられていると共に、下端部７８が下階外壁面材４２の切り欠き部５０の建物外方側に配置されている防水シート７２と、防水シート７２の建物外方側に設けられると共に、板状に形成され、上端部７４から建物下方側に延設された上壁部７６が上階外壁面材１６の裏面側に配置されかつ下端部７８から建物上方側へ延設された下壁部８０が下階外壁面材４２の切り欠き部５０内に配置されている外壁水切７０と、を有する。【選択図】図２
2017180009.tif 000002
【特許請求の範囲】
【請求項１】
複数階建てに構築されたユニット建物の上階側に配置される上階側ユニットの建物外方側に設けられている上階外壁面材と、
前記ユニット建物の下階側に配置されかつ前記上階側ユニットの真下に配置される下階側ユニットの建物外方側に設けられると共に、上端側の意匠面の一部が板厚方向に切り欠かれた切り欠き部を有している下階外壁面材と、
上端部が前記上階外壁面材を保持する外壁フレームに取り付けられていると共に、下端部が前記下階外壁面材の切り欠き部の建物外方側に配置されている防水シートと、
前記防水シートの建物外方側に設けられると共に、板状に形成され、上端部から建物下方側に延設された上壁部が前記上階外壁面材の裏面側に配置されかつ下端部から建物上方側へ延設された下壁部が前記下階外壁面材の切り欠き部内に配置されている外壁水切と、
を有する外壁水切構造。
【請求項２】
前記外壁水切の下端部には、建物内方側へ向かって折り返された折り返し部が設けられている、
請求項１記載の外壁水切構造。
【請求項３】
前記外壁水切の下壁部における建物外側面は、前記下階外壁面材の意匠面と略同一面上に配置されている、
請求項１又は請求項２記載の外壁水切構造。
【請求項４】
前記防水シートは、前記外壁水切の建物内側面に取り付けられている、
請求項１〜３のいずれか一項に記載の外壁水切構造。
【請求項５】
前記防水シートと前記下階外壁面材の切り欠き部における建物外側面との間には、隙間が設けられている、
請求項４記載の外壁水切構造。
【請求項６】
前記外壁水切は、
水平方向における両端部に形成されると共に一般部に対して一段建物内方側に配設された段違い部が形成されている第一外壁水切と、
水平方向における一端部に前記段違い部が形成されていると共に当該一端部の反対側の他端部は一般部と略同一面上に形成されている複数の第二外壁水切と、
水平方向における両端部が一般部と略同一面上に形成されている第三外壁水切と、で構成され、
前記第一外壁水切の一方の前記段違い部又は前記第二外壁水切の前記段違い部に別の第二外壁水切の前記他端部が建物外方側から重ね合わされると共に、前記第一外壁水切における他方の前記段違い部とこれと対向する前記第二外壁水切の前記段違い部とに前記第三外壁水切の前記両端部がそれぞれ建物外方側から重ね合わされることで前記ユニット建物の全周に亘って設けられている、
請求項１〜５のいずれか一項に記載の外壁水切構造。
【請求項７】
前記外壁水切は、前記外壁フレームに締結具を介して取り付けられると共に、前記外壁水切における当該締結具によって締結される部位には、スペーサが設けられている、
請求項１〜６のいずれか一項に記載の外壁水切構造。
【請求項８】
複数階建てに構築されたユニット建物の上階側に配置される上階側ユニットの建物外方側に設けられている上階外壁面材と、
前記ユニット建物の下階側に配置されかつ前記上階側ユニットの真下に配置される下階側ユニットの建物外方側に設けられると共に、上端側の意匠面の一部が板厚方向に切り欠かれた切り欠き部を有している下階外壁面材と、
上端部が前記上階外壁面材を保持する外壁フレームに取り付けられていると共に、下端部が前記下階外壁面材の切り欠き部の建物外方側に配置されている防水シートと、
前記防水シートの建物外方側に設けられると共に、板状に形成され、上端部から建物下方側に延設された上壁部が前記上階外壁面材の裏面側に配置されかつ下端部から建物上方側へ延設された下壁部が前記下階外壁面材の切り欠き部内に配置されており、水平方向における両端部に形成されると共に一般部に対して一段建物内方側に配設された段違い部が形成されている第一外壁水切と、水平方向における一端部に前記段違い部が形成されていると共に当該一端部の反対側の他端部は一般部と略同一面上に形成されている複数の第二外壁水切と、水平方向における両端部が一般部と略同一面上に形成されている第三外壁水切と、で構成された外壁水切と、
を備える外壁水切構造に適用され、
前記第一外壁水切を前記上階外壁面材と前記下階外壁面材との間に配設する第一工程と、前記第一外壁水切の一方の前記段違い部に前記第二外壁水切における前記他端部を建物外方側から重ね合わせて前記第二外壁水切を前記上階外壁面材と前記下階外壁面材との間に配設する第二工程と、前記第二外壁水切の前記一端部の前記段違い部に他の前記第二外壁水切の前記他端部を建物外方側から重ね合わせて当該第二外壁水切を前記上階外壁面材と前記下階外壁面材との間に配設する第三工程と、前記第三外壁水切の水平方向の前記両端部を前記第一外壁水切の前記段違い部とこれに対向する前記第二外壁水切の前記段違い部とに建物外方側からそれぞれ重ね合わせて当該第三外壁水切を前記上階外壁面材と前記下階外壁面材との間に設ける第四工程と、を有する、
外壁水切取り付け方法。
【請求項９】
前記外壁水切は、金属又は樹脂により構成されていると共に、予め工場内で前記外壁水切の前記上壁部が前記上階側ユニットの前記外壁フレームに取り付けられており、当該上階側ユニットを建築地へ輸送しかつ当該建築地にて前記下階側ユニットの上に吊り込んで据え付けて前記外壁水切の前記下壁部を前記下階外壁面材の切り欠き部内に収める、
請求項８記載の外壁水切取り付け方法。
【発明の詳細な説明】
【技術分野】
【０００１】
本発明は、外壁水切構造及び外壁水切取り付け方法に関する。
【背景技術】
【０００２】
下記特許文献１には、外壁パネルの壁下処理構造が開示されている。この外壁パネルの壁下処理構造では、上階外壁面材の下端部と下階外壁面材の上端部との間に防水シートと化粧胴差とが設けられている。具体的には、防水シートの上端部が上階外壁面材の下端部における建物内側面に取り付けられていると共に、防水シートの下端部が下階外壁面材の上端部における意匠面に取り付けられている。そして、防水シートの建物外方側に化粧胴差が取り付けられている。この化粧胴差及び防水シートによって、上階外壁面材と下階外壁面材との間を通って建物内部へ水が浸入するのを抑制している。
【先行技術文献】
【特許文献】
【０００３】
【特許文献１】特公平６−３９８０９号公報
【発明の概要】
【発明が解決しようとする課題】
【０００４】
しかしながら、上記特許文献１に開示された外壁パネルの壁下処理構造では、化粧胴差が上階外壁面材と下階外壁面材との間の隙間及び防水シートの下階外壁面材の意匠面に取り付けられた部位を建物外方側から覆う構成とされているため、化粧胴差のサイズが大きくなる。つまり、建物の外観において化粧胴差が目立つため、外観品質が低下する可能性がある。したがって、上記先行技術はこの点で改良の余地がある。
【０００５】
本発明は上記問題を考慮し、外観品質の低下を抑制することができる外壁水切構造及び外壁水切取り付け方法を得ることを目的とする。
【課題を解決するための手段】
【０００６】
第１の態様に係る外壁水切構造は、複数階建てに構築されたユニット建物の上階側に配置される上階側ユニットの建物外方側に設けられている上階外壁面材と、前記ユニット建物の下階側に配置されかつ前記上階側ユニットの真下に配置される下階側ユニットの建物外方側に設けられると共に、上端側の意匠面の一部が板厚方向に切り欠かれた切り欠き部を有している下階外壁面材と、上端部が前記上階外壁面材を保持する外壁フレームに取り付けられていると共に、下端部が前記下階外壁面材の切り欠き部の建物外方側に配置されている防水シートと、前記防水シートの建物外方側に設けられると共に、板状に形成され、上端部から建物下方側に延設された上壁部が前記上階外壁面材の裏面側に配置されかつ下端部から建物上方側へ延設された下壁部が前記下階外壁面材の切り欠き部内に配置されている外壁水切と、を有している。
【０００７】
第２の態様に係る外壁水切構造は、第１の態様に係る発明において、前記外壁水切の下端部には、建物内方側へ向かって折り返された折り返し部が設けられている。
【０００８】
第３の態様に係る外壁水切構造は、第１又は第２の態様に係る発明において、前記外壁水切の下壁部における建物外側面は、前記下階外壁面材の意匠面と略同一面上に配置されている。
【０００９】
第４の態様に係る外壁水切構造は、第１〜３のいずれか一つの態様に係る発明において、前記防水シートは、前記外壁水切の建物内側面に取り付けられている。
【００１０】
第５の態様に係る外壁水切構造は、第４の態様に係る発明において、前記防水シートと前記下階外壁面材の切り欠き部における建物外側面との間には、隙間が設けられている。
【００１１】
第６の態様に係る外壁水切構造は、第１〜５のいずれか一つの態様に係る発明において、前記外壁水切は、水平方向における両端部に形成されると共に一般部に対して一段建物内方側に配設された段違い部が形成されている第一外壁水切と、水平方向における一端部に前記段違い部が形成されていると共に当該一端部の反対側の他端部は前記一半面と略同一面上に形成されている複数の第二外壁水切と、水平方向における両端部が一般部と略同一面上に形成されている第三外壁水切と、で構成され、前記第一外壁水切の一方の前記段違い部又は前記第二外壁水切の前記段違い部に別の第二外壁水切の前記他端部が建物外方側から重ね合わされると共に、前記第一外壁水切における他方の前記段違い部とこれと対向する前記第二外壁水切の前記段違い部とに前記第三外壁水切の前記両端部がそれぞれ建物外方側から重ね合わされることで前記ユニット建物の全周に亘って設けられている。
【００１２】
第７の態様に係る外壁水切構造は、第１〜６のいずれか一つの態様に係る発明において、前記外壁水切は、前記外壁フレームに締結具を介して取り付けられると共に、前記外壁水切における当該締結具によって締結される部位には、スペーサが設けられている。
【００１３】
第８の態様に係る外壁水切取り付け方法は、複数階建てに構築されたユニット建物の上階側に配置される上階側ユニットの建物外方側に設けられている上階外壁面材と、前記ユニット建物の下階側に配置されかつ前記上階側ユニットの真下に配置される下階側ユニットの建物外方側に設けられると共に、上端側の意匠面の一部が板厚方向に切り欠かれた切り欠き部を有している下階外壁面材と、上端部が前記上階外壁面材を保持する外壁フレームに取り付けられていると共に、下端部が前記下階外壁面材の切り欠き部の建物外方側に配置されている防水シートと、前記防水シートの建物外方側に設けられると共に、板状に形成され、上端部から建物下方側に延設された上壁部が前記上階外壁面材の裏面側に配置されかつ下端部から建物上方側へ延設された下壁部が前記下階外壁面材の切り欠き部内に配置されており、水平方向における両端部に形成されると共に一般部に対して一段建物内方側に配設された段違い部が形成されている第一外壁水切と、水平方向における一端部に前記段違い部が形成されていると共に当該一端部の反対側の他端部は一般部と略同一面上に形成されている複数の第二外壁水切と、水平方向における両端部が一般部と略同一面上に形成されている第三外壁水切と、で構成された外壁水切と、を備える外壁水切構造に適用され、前記第一外壁水切を前記上階外壁面材と前記下階外壁面材との間に配設する第一工程と、前記第一外壁水切の一方の前記段違い部に前記第二外壁水切における前記他端部を建物外方側から重ね合わせて前記第二外壁水切を前記上階外壁面材と前記下階外壁面材との間に配設する第二工程と、前記第二外壁水切の前記一端部の前記段違い部に他の前記第二外壁水切の前記他端部を建物外方側から重ね合わせて当該第二外壁水切を前記上階外壁面材と前記下階外壁面材との間に配設する第三工程と、前記第三外壁水切の水平方向の前記両端部を前記第一外壁水切の前記段違い部とこれに対向する前記第二外壁水切の前記段違い部とに建物外方側からそれぞれ重ね合わせて当該第三外壁水切を前記上階外壁面材と前記下階外壁面材との間に設ける第四工程と、を有している。
【００１４】
第９の態様に係る外壁水切取り付け方法は、前記外壁水切は、金属又は樹脂により構成されていると共に、予め工場内で前記外壁水切の前記上壁部が前記上階側ユニットの前記外壁フレームに取り付けられており、当該上階側ユニットを建築地へ輸送しかつ当該建築地にて前記下階側ユニットの上に吊り込んで据え付けて前記外壁水切の前記下壁部を前記下階外壁面材の切り欠き部内に収める。
【００１５】
第１の態様によれば、防水シートの建物外方側に外壁水切が設けられており、この外壁水切及び防水シートによって上階外壁面材と下階外壁面材との間を介して建物内部へ水が浸入するのを抑制する。また、外壁水切は、上壁部が上階外壁面材の裏面側に配置されていると共に下壁部が下階外壁面材の切り欠き部内に配置されていることで、外壁水切の建物外部に露出する量及び外壁水切の下階外壁面材から突出する量が少なくなる。したがって、外壁水切を建物外部から目立ち難くすることができる。
【００１６】
第２の態様によれば、外壁水切の下端部には折り返し部が設けられていることから、外壁水切の剛性が向上される。したがって、外壁水切の変形を抑制することができる。
【００１７】
第３の態様によれば、外壁水切の下壁部の建物外側面と下階外壁面材の意匠面とが略同一面上に配置されていることから、外壁水切が下階外壁面材からほぼ突出しない構成となる。したがって、すっきりとした建物外観とすることができる。
【００１８】
第４の態様によれば、防水シートは、外壁水切の建物内側面に取り付けられていることから、防水シートを建物へ取り付ける作業と外壁水切を建物へ取り付ける作業とを同時に行うことができる。したがって、組み付け作業の工数を削減することができる。
【００１９】
第５の態様によれば、防水シートと下階外壁面材の切り欠き部における建物外側面との間には隙間が設けられていることから、この隙間を介してユニット建物の内部又は外部へ空気を流すことができる。つまり、建物の通気性を確保しながら建物内部への水の浸入を抑制することができる。
【００２０】
第６の態様によれば、ユニット建物の全周に亘って設けられた外壁水切は、第一外壁水切と第二外壁水切と第三外壁水切とで構成とされている。また、第一外壁水切と第二外壁水切と第三外壁水切とがそれぞれ重ね合わされる部位は、どちらか一方が段違い部とされていることから、重ね合わされる部位が建物外方側へ突出することがない。したがって、すっきりとした建物外観としながらユニット建物全周における上階外壁面材と下階外壁面材との間を介した建物内部への水の浸入を抑制することができる。
【００２１】
第７の態様によれば、外壁水切における締結具によって締結される部位には、スペーサが設けられていることから、このスペーサによって外壁水切における当該部位は剛性が向上する。したがって、締結時に締結具による外壁水切の変形を抑制することができる。
【００２２】
第８の態様によれば、外壁水切をユニット建物の全周に設ける場合、第一外壁水切を上階外壁面材と下階外壁面材との間に設けてから複数の第二外壁水切を上階外壁面材と下階外壁面材との間に設けて、最後に第三外壁水切を上階外壁面材と下階外壁面材との間に設けることで、第一外壁水切、第二外壁水切及び第三外壁水切のそれぞれが重ね合わされた部位のどちらか一方が段違い部となることから、当該重ね合わされる部位が建物外方側へ突出することがない。したがって、すっきりとした建物外観としながらユニット建物全周における上階外壁面材と下階外壁面材との間を介した建物内部への水の浸入を抑制することができる。
【００２３】
第９の態様によれば、外壁水切は予め工場内にて上階側ユニットに取り付けられることから、外壁水切を上階側ユニットに精度良く取り付けることができるので、品質を向上させることができる。また、外壁水切は、金属又は樹脂により構成されているため、外壁水切の下壁部を下階外壁面材の切り欠き部内に配置させる形状が維持されるため、建築地にて上階側ユニットを下階側ユニットの上に据え付けることで外壁水切の下壁部を下階外壁面材の切り欠き部内に収めることが可能となる。つまり、現地作業を減らすことができるので、工期を短縮することができる。
【発明の効果】
【００２４】
以上説明したように、本発明に係る外壁水切構造及び外壁水切取り付け方法は、外観品質の低下を抑制することができるという優れた効果を有する。
【図面の簡単な説明】
【００２５】
【図１】一実施形態に係る外壁水切構造を有するユニット建物を構成する建物ユニットの配置を示す概略図である。
【図２】一実施形態に係る外壁水切構造を有するユニット建物の一部を切断した状態を示す拡大断面図である。
【図３】一実施形態に係る外壁水切構造における出隅部に設けられる第二外壁水切を示す斜視図である。
【図４】一実施形態に係る外壁水切構造における入隅部に設けられる第二外壁水切を示す斜視図である。
【図５】一実施形態に係る外壁水切構造における外壁水切の重なり部を示す斜視図である。
【図６】一実施形態に係る外壁水切構造における第一外壁水切、第二外壁水切及び第三外壁水切の位置を示す概略図である。
【発明を実施するための形態】
【００２６】
以下、図１〜６を用いて、本発明に係る外壁水切構造の一実施形態について説明する。
【００２７】
図１に示されるように、ユニット建物１０は、図示しない基礎上に複数載置された建物ユニット１２により複数階建て（一例として２階建て）に構築されている（なお、本図では、建物ユニット１２の配置をわかり易く示すため屋根を省略している）。建物ユニット１２は、それぞれが直方体状を成しており、この建物ユニット１２を建物上下方向に重ねて設けることで、ユニット建物１０の上階（本実施形態では２階）と、下階（本実施形態では１階）とが構成されている。
【００２８】
ユニット建物１０の上階側、すなわち２階を構成する上階側ユニット１４の建物外方側には、図２に示されるように上階外壁面材１６と外壁フレーム１８とを含んで構成された外壁面材パネル２０が取り付けられている。この上階外壁面材１６は、耐候性に優れたコンクリートやセラミック等の素材で構成されている。
【００２９】
上階外壁面材１６は、上階外壁面材１６に対して建物内側に配置された外壁フレーム１８に図示しない締結具によって取り付けられている。この外壁フレーム１８は、上階外壁面材１６の建物上下方向における端部にそれぞれ配置されていると共に、当該端部に沿った水平方向を長手方向として延設された横フレーム２２と、上階外壁面材１６の建物上下方向における端部のそれぞれの横フレーム２２を建物上下方向で連結する図示しない縦フレームとで構成されている。なお、横フレーム２２は、外側縦壁部２４と、内側縦壁部２６と、外側縦壁部２４における建物上下方向の一方の端部とこれに対応した内側縦壁部２６における建物上下方向の一方の端部とを略水平方向に連結する底壁部２８と、により長手方向に直交する断面形状が略Ｕ字状に形成されている。また、上階外壁面材１６の下端部３０に対応した位置に設けられている横フレーム２２は、断面開口が建物下方側へ向けて開放された向きに配置されている。
【００３０】
横フレーム２２の内側縦壁部２６には、板厚方向に貫通された貫通孔３２が形成されている。また、内側縦壁部２６が当接する上階側ユニット１４の一部を構成する床大梁３４には、貫通孔３２に対応して形成された大梁貫通孔３３が形成されており、この貫通孔３２及び大梁貫通孔３３にボルト３６が挿入されると共にナット３８にて締結されることで、横フレーム２２ひいては外壁フレーム１８は床大梁３４に固定されている。
【００３１】
ユニット建物１０の２階を構成する上階側ユニット１４の真下に配置されかつユニット建物１０の下階（１階）を構成する下階側ユニット４０（図１も参照）には、建物外方側に下階外壁面材４２と外壁フレーム４４とを含んで構成された外壁面材パネル４６が取り付けられている。この下階外壁面材４２は、上階外壁面材１６と同様に、耐候性に優れたコンクリートやセラミック等の素材で構成されている。
【００３２】
下階外壁面材４２の上端部４８側の意匠面５２（建物外側面）の一部には、板厚方向に切り欠かれた切り欠き部５０が形成されている。この切り欠き部５０は、平面とされかつ意匠面５２と平行とされた建物外側面５４と、意匠面５２と建物外側面５４とを略板厚方向に連結する傾斜壁部５６とで構成されている。建物外側面５４は、意匠面５２に対して建物内側に配置されていることから、下階外壁面材４２における切り欠き部５０が形成された部位の板厚は、下階外壁面材４２における切り欠き部５０が形成されていない部位の板厚よりも薄くされている。
【００３３】
下階外壁面材４２は、下階外壁面材４２に対して建物内側に配置された外壁フレーム４４に図示しない締結具によって取り付けられている。この外壁フレーム４４は、下階外壁面材４２の建物上下方向における端部にそれぞれ配置されていると共に、当該端部に沿った水平方向を長手方向として延設された横フレーム５８と、下階外壁面材４２の建物上下方向における端部のそれぞれの横フレーム５８を建物上下方向で連結する図示しない縦フレームとで構成されている。なお、横フレーム５８は、ユニット建物１０の２階を構成する上階側ユニット１４の外壁フレーム１８における横フレーム２２と同様に、外側縦壁部６０と、内側縦壁部６２と、外側縦壁部６０における建物上下方向の一方の端部とこれに対応した内側縦壁部６２における建物上下方向の一方の端部とを略水平方向に連結する底壁部６４と、により長手方向に直交する断面形状が略Ｕ字状に形成されている。また、下階外壁面材４２の上端部４８に対応した位置に設けられている横フレーム５８は、断面開口が建物上方側へ向けて開放された向きに配置されている。
【００３４】
横フレーム５８の内側縦壁部６２には、板厚方向に貫通された貫通孔６６が形成されている。また、内側縦壁部６２が当接する下階側ユニット４０の一部を構成する天井大梁６８には、貫通孔６６に対応して形成された大梁貫通孔６７が形成されており、この貫通孔６６及び大梁貫通孔６７にボルト３６が挿入されると共にナット３８にて締結されることで、横フレーム５８ひいては外壁フレーム４４は天井大梁６８ひいては下階側ユニット４０に固定されている。
【００３５】
上階側ユニット１４の横フレーム２２における外側縦壁部２４には、外壁水切７０と防水シート７２とが取り付けられている。外壁水切７０は、一例としてアルミニウム合金により構成されており、上階外壁面材１６の下端部３０に沿って水平方向を長手方向とした板状に形成されている（図５参照）。
【００３６】
外壁水切７０は、上端部７４から建物下方側へ延設された上壁部７６と、上端部７４に対して建物外方側に配置された下端部７８から建物上方側へ延設された下壁部８０と、上壁部７６の下端部８２及び下壁部８０の上端部８４とを略建物上下方向に連結する連結壁部８６とにより長手方向に直交する断面形状が略クランク状に形成されている。そして、外壁水切７０の上壁部７６は、上階外壁面材１６の裏面側、すなわち建物内方側に配置されている。なお、上階外壁面材１６の下端部３０における裏面（建物内方側面）には、板厚方向に切り欠かれた切り欠き部４９が形成されており、この切り欠き部４９内に外壁水切７０の上壁部７６が配置されている。
【００３７】
また、外壁水切７０の下壁部８０は、下階外壁面材４２の切り欠き部５０内に配置されている。さらに、外壁水切７０の連結壁部８６は、上階外壁面材１６の下端部３０と下階外壁面材４２の上端部４８との間の隙間に配置されている。なお、外壁水切７０の下壁部８０の建物外側面は、下階外壁面材４２の意匠面５２と略同一面上に配置されている。また、下壁部８０の建物上下方向の寸法は、ユニット建物１０に設けられている図示しない窓枠における水平方向に沿って延設された部位の建物上下方向の寸法と略同一とされている。
【００３８】
外壁水切７０の上端部７４には、板厚方向に貫通形成された取付孔９２が形成されている。この取付孔９２は、外壁水切７０の長手方向に間隔を空けて複数形成されている（図３参照）。また、外壁水切７０の取付孔９２が形成された部位の建物内側面には、スペーサ９４が取り付けられている。このスペーサ９４は、板状に形成されており、板厚は外壁水切７０の板厚と略同一に設定されている。また、スペーサ９４には、外壁水切７０の取付孔９２に対応して板厚方向に貫通された貫通孔９６が形成されている。
【００３９】
外壁水切７０の下端部７８には、折り返し部９８が形成されている。この折り返し部９８は、下端部７８の一部が建物内方側へかつ下階外壁面材４２の傾斜壁部５６と対向するように折り曲げられて形成されている。なお、折り返し部９８の先端部と切り欠き部５０の建物外側面５４との間には、隙間１３４が設けられている。
【００４０】
外壁水切７０の建物内側面には、防水シート７２が取り付けられている。この防水シート７２は、一例としてＣＲ（クロロプレンゴム）シートにより構成されており、外壁水切７０の建物内側面の略全面に設けられている。また、防水シート７２の上端部１０４は、外壁水切７０の上端部７４に対応した位置に配置されると共に、防水シート７２の下端部１０６は、外壁水切７０の下端部７８における折り返し部９８より建物上方側に配置されている。つまり、防水シート７２は、外壁水切７０と同様に長手方向に直交する断面形状が略クランク状とされている。なお、防水シート７２の下端部１０６における建物内側面と、下階外壁面材４２の切り欠き部５０における建物外側面５４との間には、隙間１３４が設けられている。
【００４１】
防水シート７２の上端部１０４における外壁水切７０の取付孔９２及びスペーサ９４の貫通孔９６に対応した位置には、板厚方向に貫通された貫通孔１１０が形成されている。この貫通孔１１０と、外壁水切７０の取付孔９２と、スペーサ９４の貫通孔９６と、外壁フレーム１８の外側縦壁部２４に形成されている締結孔１１２とには、タッピング１１４が挿通されて締結されている。したがって、外壁水切７０及びスペーサ９４と、外壁水切７０に取り付けられた防水シート７２と、は外壁フレーム１８に固定されている。
【００４２】
図６に示されるように、外壁水切７０は、第一外壁水切１１６と、第二外壁水切１１８と、第三外壁水切１２０とで構成されている。第一外壁水切１１６は、建物平面視で直線状に形成されていると共に、水平方向（長手方向）における両端部、すなわち一端部１１７と他端部１１９とに、段違い部１２２が形成されている。この段違い部１２２は、第一外壁水切１１６の一般部１２４に平行に延設されていると共に、一般部１２４に対して第一外壁水切１１６の板厚と防水シート７２の板厚とを合わせた寸法分建物内方側にオフセットされている。
【００４３】
第二外壁水切１１８は、建物平面視で直線状に形成されている第二外壁水切１１８Ａと、ユニット建物１０の出隅部に設けられ建物平面視でＬ字状に形成されている第二外壁水切１１８Ｂ及び第二外壁水切１１８Ｃ（図３参照）と、ユニット建物１０の入隅部に設けられかつ建物平面視でＬ字状に形成されている第二外壁水切１１８Ｄ（図４参照）と、建物ユニット１２における隣接する３面に亘って設けられかつ建物平面視で略Ｕ字状に形成された第二外壁水切１１８Ｅとで構成されている。これらの第二外壁水切１１８（１１８Ａ、１１８Ｂ、１１８Ｃ、１１８Ｄ及び１１８Ｅ）の水平方向（長手方向）における一端部１２６には、一端部１２６が設けられた側の一般部１２５に対して第二外壁水切１１８の板厚と防水シート７２の板厚とを合わせた寸法分建物内方側にオフセットされかつ一般部１２５に平行に延設された段違い部１２３が形成されている。なお、第二外壁水切１１８Ａにおける一端部１２６と反対側の他端部１２８は、一般部１２５と略同一面上に配置されている。また、第二外壁水切１１８Ｂ、１１８Ｃ、１１８Ｄ、１１８Ｅにおける一端部１２６と反対側の他端部１２８は、第二外壁水切１１８における他端部１２８が設けられた側の一般部１２７と略同一面上に配置されている。
【００４４】
第三外壁水切１２０は、ユニット建物１０の出隅部に設けられると共に、建物平面視でＬ字状に形成されている。この第三外壁水切１２０の水平方向（長手方向）における両端部、すなわち一端部１３０と他端部１３２とは、それぞれの端部が形成されている一般部１２９、１３１と略同一面上に配置されている。
【００４５】
次に、上述したユニット建物１０の外壁水切取り付け方法について説明する。
【００４６】
ユニット建物１０は、一例として７つの上階側ユニット１４を有しており、この上階側ユニット１４は建物平面視で略Ｌ字状に配置されている。この上階側ユニット１４を配置する際は、建築地にて上階側ユニット１４を一つずつ下階側ユニット４０上に吊り込んで据え付ける（図１参照）。複数の上階側ユニット１４には、それぞれ第一外壁水切１１６と、第二外壁水切１１８と、第三外壁水切１２０とが予め工場内にて取り付けられており、上階側ユニット１４を下階側ユニット４０上に載置することで第一外壁水切１１６と、第二外壁水切１１８と、第三外壁水切１２０とが、上階外壁面材１６と下階外壁面材４２との間に配設される。また、第一外壁水切１１６、第二外壁水切１１８及び第三外壁水切１２０のそれぞれの下壁部８０は、下階外壁面材４２の切り欠き部５０内に収められる。このとき、第一外壁水切１１６が設けられた上階側ユニット１４が最初に下階側ユニット４０上に載置される。なお、この工程が請求項８記載の「第一工程」に相当する。
【００４７】
第一外壁水切１１６が設けられた上階側ユニット１４が下階側ユニット４０上に載置された後、第一外壁水切１１６が設けられた上階側ユニット１４に隣接した位置（第一外壁水切１１６の他端部１１９側）に、第二外壁水切１１８Ｂが設けられた上階側ユニット１４が配置される。この第二外壁水切１１８Ｂは、第一外壁水切１１６の他端部１１９の段違い部１２２に第二外壁水切１１８における段違い部１２３が形成されていない他端部１２８を建物外方側から他端部１２８に設けられた防水シート７２を含んで重ね合わされる向きで配置されている。なお、この工程が請求項８記載の「第二工程」に相当する。
【００４８】
次に、第二外壁水切１１８Ｂが設けられた上階側ユニット１４に隣接した位置（第二外壁水切１１８Ｂの一端部１２６側）に、第二外壁水切１１８Ｃが設けられた上階側ユニット１４が配置される。また、この第二外壁水切１１８Ｃが設けられた上階側ユニット１４に隣接した位置（第二外壁水切１１８Ｃの一端部１２６側）に、第二外壁水切１１８Ｄが設けられた上階側ユニット１４が配置される。さらに、第二外壁水切１１８Ｄが設けられた上階側ユニット１４に隣接した位置（第二外壁水切１１８Ｄの一端部１２６側）に、第二外壁水切１１８Ｅが設けられた上階側ユニット１４が配置される。さらにまた、第二外壁水切１１８Ｅが設けられた上階側ユニット１４に隣接した位置（第二外壁水切１１８Ｅの一端部１２６側）に、第二外壁水切１１８Ａが設けられた上階側ユニット１４が配置される。これらの上階側ユニット１４が配置される際には、先に配置されている上階側ユニット１４の第二外壁水切１１８の一端部１２６に形成されている段違い部１２３に対して後に配置される上階側ユニット１４の第二外壁水切１１８の他端部１２８が建物外方側から他端部１２８に設けられた防水シート７２を含んで重ねられる。なお、この工程が請求項８記載の「第三工程」に相当する。
【００４９】
第二外壁水切１１８Ａが設けられた上階側ユニット１４と第一外壁水切１１６が設けられた上階側ユニット１４との間には、第三外壁水切１２０が設けられた上階側ユニット１４が配置される。この第三外壁水切１２０の水平方向の一端部１３０は、第二外壁水切１１８Ａの一端部１２６に形成されている段違い部１２３に建物外方側から一端部１３０に設けられた防水シート７２を含んで重ね合わされていると共に、第三外壁水切１２０の水平方向の他端部１３２は、第一外壁水切１１６の一端部１１７に形成されている段違い部１２２に建物外方側から他端部１３２に設けられた防水シート７２を含んで重ね合わされている。なお、この工程が請求項８記載の「第四工程」に相当する。
【００５０】
次に、本実施形態の作用並びに効果を説明する。
【００５１】
本実施形態によれば、図２に示されるように、防水シート７２の建物外方側に外壁水切７０が設けられており、この外壁水切７０及び防水シート７２によって上階外壁面材１６と下階外壁面材４２との間を介して建物内部へ水が浸入するのを抑制する。また、外壁水切７０は、上壁部７６が上階外壁面材１６の裏面側に配置されていると共に下壁部８０が下階外壁面材４２の切り欠き部５０内に配置されていることで、外壁水切７０の建物外部に露出する量及び外壁水切７０の下階外壁面材４２から突出する量が少なくなる。したがって、外壁水切７０を建物外部から目立ち難くすることができる。これにより、外観品質の低下を抑制することができる。
【００５２】
また、外壁水切７０の下端部７８には折り返し部９８が設けられていることから、外壁水切７０の剛性が向上される。したがって、外壁水切７０の変形を抑制することができる。
【００５３】
さらに、外壁水切７０の下端部７８に折り返し部９８が設けられていることで、建物外方側から外壁水切７０を見上げた際に、外壁水切７０の下壁部８０と下階外壁面材４２の切り欠き部５０における建物外側面５４との間の隙間１３４が見え難くなる。つまり、外観品質を向上させることができる。
【００５４】
さらにまた、外壁水切７０の下端部７８には折り返し部９８が設けられていることから、風に煽られることで下階外壁面材４２の意匠面５２に沿って水が建物上方側へと流れた場合でも、この折り返し部９８によってそれ以上の建物上方側への流れが抑制される。また、万が一、外壁水切７０の下端部７８と切り欠き部５０の建物外側面５４との間に水が浸入した場合でも、外壁水切７０の下端部７８と下階外壁面材４２の上端面とは離間されていることから、水はすぐに建物内部へ浸入しない。したがって、建物上方側へと流れる水が上階外壁面材１６と下階外壁面材４２との間を介して建物内部へと浸入するのを抑制することができる。
【００５５】
また、外壁水切７０の下壁部８０の建物外側面と下階外壁面材４２の意匠面とが略同一面上に配置されていることから、外壁水切７０が下階外壁面材４２からほぼ突出しない構成となる。したがって、すっきりとした建物外観とすることができる。
【００５６】
さらに、外壁水切７０の下壁部８０の建物上下方向の寸法は、ユニット建物１０に設けられている図示しない窓枠における水平方向に沿って延設された部位の建物上下方向の寸法と略同一とされていることから、窓枠と外壁水切７０とは統一された見た目となるため、外観品質を向上させることができる。
【００５７】
さらにまた、防水シート７２は、外壁水切７０の建物内側面に取り付けられていることから、防水シート７２を建物へ取り付ける作業と外壁水切７０を建物ユニット１２へ取り付ける作業とを同時に行うことができる。したがって、組み付け作業の工数を削減することができる。
【００５８】
また、防水シート７２と下階外壁面材４２の切り欠き部５０における建物外側面５４との間には隙間１３４が設けられていることから、この隙間１３４を介してユニット建物１０の内部又は外部へ空気を流すことができる。つまり、ユニット建物１０の通気性を確保しながら建物内部への水の浸入を抑制することができる。
【００５９】
さらに、ユニット建物１０の全周に亘って設けられた外壁水切７０は、第一外壁水切１１６と第二外壁水切１１８と第三外壁水切１２０とで構成とされている。また、第一外壁水切１１６と第二外壁水切１１８と第三外壁水切１２０とがそれぞれ重ね合わされる部位は、どちらか一方が段違い部１２２、１２３とされていることから、重ね合わされる部位が建物外方側へ突出することがない。したがって、すっきりとした建物外観としながらユニット建物１０全周における上階外壁面材１６と下階外壁面材４２との間を介した建物内部への水の浸入を抑制することができる。
【００６０】
さらにまた、外壁水切７０におけるタッピング１１４によって締結される部位には、スペーサ９４が設けられていることから、このスペーサ９４によって外壁水切７０における当該部位は剛性が向上する。したがって、締結時にタッピング１１４による外壁水切７０の変形を抑制することができる。
【００６１】
また、外壁水切７０に設けられたスペーサ９４の板厚は、外壁水切７０の板厚と略同一とされていることから、外壁水切７０の段違い部１２２、１２３の建物外側面とスペーサ９４の建物外側面とは略同一面上に配置される。したがって、外壁水切７０は外壁フレーム１８へ略均一に当接されることから、外壁水切７０のがたつきを抑制することができる。
【００６２】
さらに、外壁水切７０をユニット建物１０の全周に設ける場合、第一外壁水切１１６を上階外壁面材１６と下階外壁面材４２との間に設けてから複数の第二外壁水切１１８を上階外壁面材１６と下階外壁面材４２との間に設けて、最後に第三外壁水切１２０を上階外壁面材１６と下階外壁面材４２との間に設けることで、第一外壁水切１１６、第二外壁水切１１８及び第三外壁水切１２０のそれぞれが重ね合わされた部位のどちらか一方が段違い部１２２、１２３となることから、当該重ね合わされる部位が建物外方側へ突出することがない。したがって、すっきりとした建物外観としながらユニット建物１０全周における上階外壁面材１６と下階外壁面材４２との間を介した建物内部への水の浸入を抑制することができる。
【００６３】
さらにまた、外壁水切７０は予め工場内にて上階側ユニット１４に取り付けられることから、外壁水切７０を上階側ユニット１４に精度良く取り付けることができるので、品質を向上させることができる。また、外壁水切７０は、金属又は樹脂により構成されているため、外壁水切７０の下壁部８０を下階外壁面材４２の切り欠き部５０内に配置させる形状が維持されるため、建築地にて上階側ユニット１４を下階側ユニット４０の上に据え付けることで外壁水切７０の下壁部８０を下階外壁面材４２の切り欠き部５０内に収めることが可能となる。つまり、現地作業を減らすことができるので、工期を短縮することができる。
【００６４】
なお、本実施形態では、外壁水切７０は、アルミニウム合金により構成されているが、これに限らず、ステンレスや樹脂等他の板厚の薄い材質で構成された構成としてもよい。
【００６５】
また、外壁水切７０の下壁部８０の建物外側面は、下階外壁面材４２の意匠面５２と略同一面上に配置されているが、これに限らず、意匠面５２より多少突出してもよいし、意匠面５２より多少建物内方側に設けられてもよい。
【００６６】
さらに、第一外壁水切１１６と第二外壁水切１１８と第三外壁水切１２０とがそれぞれ重ね合わされる部位は、それぞれ防水シート７２を含んで重ね合わされた構成とされているが、これに限らず、第一外壁水切１１６、第二外壁水切１１８及び第三外壁水切１２０のみを重ね合わせて、防水シート７２は別の部位にて重ね合わせた構成としてもよいし、その他の構成によってユニット建物１０の全周に亘って防水シート７２を連続させた構成としてもよい。
【００６７】
以上、本発明の実施形態について説明したが、本発明は、上記に限定されるものでなく、その主旨を逸脱しない範囲内において上記以外にも種々変形して実施することが可能であることは勿論である。
【符号の説明】
【００６８】
１０   ユニット建物
１４   上階側ユニット
１６   上階外壁面材
１８   外壁フレーム
４０   下階側ユニット
４２   下階外壁面材
４８   上端側
５０   切り欠き部
５２   意匠面
７０   外壁水切
７２   防水シート
７４   上端部
７６   上壁部
７８   下端部
８０   下壁部
９４   スペーサ
９８   折り返し部
１０４ 上端部
１１４ タッピング（締結具）
１１６ 第一外壁水切
１１７ 一端部（第一外壁水切１１６の水平方向における両端部の一方）
１１８ 第二外壁水切
１１９ 他端部（第一外壁水切１１６の水平方向における両端部の他方）
１２０ 第三外壁水切
１２２ 段違い部
１２３ 段違い部
１２４ 一般部
１２５ 一般部
１２６ 一端部
１２７ 一般部
１２８ 他端部
１２９ 一般部
１３０ 一端部（第三外壁水切１２０の水平方向における両端部の一方）
１３１ 一般部
１３２ 他端部（第三外壁水切１２０の水平方向における両端部の他方）
【図１】
2017180009.tif 000003
【図２】
2017180009.tif 000004
【図３】
2017180009.tif 000005
【図４】
2017180009.tif 000006
【図５】
2017180009.tif 000007
【図６】
2017180009.tif 000008